(57)【要約】      （修正有）【課題】嵌合部およびプレスフィット部の最表面に異なるめっきを施すことなく、嵌合部側における低嵌合力化、プレスフィット部側におけるめっき削れの抑制を図ることが可能なプレスフィット端子、また、これを用いた基板用コネクタを提供する。【解決手段】プレスフィット端子１は、相手方端子と嵌合することにより電気的接続が取られる嵌合部１１と、回路基板３のスルーホール３１内に圧入されることによりするホール３１の内周に形成された導電部３２と電気的接続が取られるプレスフィット部１２とを有している。嵌合部１１およびプレスフィット部１２は、いずれも、Ｓｎ−Ｐｄ系合金相とＳｎ相との混合相より構成される合金めっき層を最表面に有している。【選択図】図５
2016018726.tif 000002
【特許請求の範囲】
【請求項１】
相手方端子と嵌合することにより電気的接続が取られる嵌合部と、回路基板のスルーホール内に圧入されることにより上記スルーホール内周に形成された導電部と電気的接続が取られるプレスフィット部とを有するプレスフィット端子であって、
上記嵌合部および上記プレスフィット部は、いずれも、Ｓｎ−Ｐｄ系合金相とＳｎ相との混合相より構成される合金めっき層を最表面に有していることを特徴とするプレスフィット端子。
【請求項２】
上記嵌合部と上記プレスフィット部との間を連結する連結部を有しており、該連結部の最表面に上記合金めっき層を有していることを特徴とする請求項１に記載のプレスフィット端子。
【請求項３】
上記合金めっき層の外表面に占める上記Ｓｎ−Ｐｄ系合金相の面積率は、１０〜８０％の範囲内にあることを特徴とする請求項１または２に記載のプレスフィット端子。
【請求項４】
上記合金めっき層は、Ｐｄ含有量が２０原子％未満であることを特徴とする請求項１〜３のいずれか１項に記載のプレスフィット端子。
【請求項５】
請求項１〜４のいずれか１項に記載のプレスフィット端子と、該プレスフィット端子を保持するハウジングとを有することを特徴とする基板用コネクタ。
【発明の詳細な説明】
【技術分野】
【０００１】
本発明は、プレスフィット端子および基板用コネクタに関する。
【背景技術】
【０００２】
従来、回路基板のスルーホール内に圧入され、スルーホール内周に形成された導電部と弾性接触させることにより電気的接続が取られる端子として、プレスフィット端子が知られている（例えば、特許文献１参照）。
【０００３】
上記プレスフィット端子を構成するための金属基材として、導電率が高く、延性に富み、適度な強度を有する銅や銅合金が多く使用されている。銅や銅合金は、表面に酸化膜や硫化膜等の絶縁性の被膜が形成される。そのため、銅や銅合金をそのまま用いたプレスフィット端子は、相手方端子との嵌合時に接触抵抗が高くなりやすい。
【０００４】
そこで、従来より、銅や銅合金からなる金属基材の表面には、Ｓｎめっきが施されている。Ｓｎは、他の金属と比較して硬度が低い。そのため、Ｓｎが酸化されて絶縁性の被膜が形成された場合でも、この被膜は、比較的弱い力で破壊される。それ故、金属基材の表面にＳｎめっきを有するプレスフィット端子は、相手方端子との嵌合時に比較的容易に被膜が破壊されて新生面が露出し、これにより良好な電気的接続を確保することができる。
【先行技術文献】
【特許文献】
【０００５】
【特許文献１】特開２００４−３１９３３８号公報
【発明の概要】
【発明が解決しようとする課題】
【０００６】
しかしながら、従来技術は、以下の点で問題がある。すなわち、上述したように、Ｓｎは、比較的軟らかい金属である。そのため、相手方端子とプレスフィット端子との嵌合時に、相手方端子と嵌合部との間で、Ｓｎの凝着や掘り起こしが生じ、嵌合力が過大になりやすいという問題がある。
【０００７】
また、プレスフィット端子を備える基板用コネクタを回路基板に実装する際、回路基板のスルーホール内にプレスフィット端子のプレスフィット部が圧入されると、スルーホールとプレスフィット部との間で、Ｓｎの凝着や掘り起こしが生じ、これによりＳｎの削れが生じる。削れたＳｎは、回路基板の表面を汚染するため、回路間が短絡するおそれがある。
【０００８】
これらの問題を回避するため、Ｓｎめっきに変えてＳｎ−Ｃｕ系合金めっきやＳｎ−Ｎｉ系合金めっきを用いたり、下地めっきであるＮｉめっきのみを用いたりする方法等が考えられる。しかしながら、これらの方法では、めっき表層に生成する酸化被膜の影響により、嵌合部側における接触抵抗が低い値で安定し難い。そのため、上記めっき種は、嵌合部に適していない。それ故、嵌合部およびプレスフィット部の最表面に、それぞれ異なるめっきを施さざるを得ないという問題が生じる。
【０００９】
本発明は、上記背景に鑑みてなされたものであり、嵌合部およびプレスフィット部の最表面に異なるめっきを施すことなく、嵌合部側における低嵌合力化、プレスフィット部側におけるめっき削れの抑制を図ることが可能なプレスフィット端子、また、これを用いた基板用コネクタを提供しようとするものである。
【課題を解決するための手段】
【００１０】
本発明の一態様は、相手方端子と嵌合することにより電気的接続が取られる嵌合部と、回路基板のスルーホール内に圧入されることにより上記スルーホール内周に形成された導電部と電気的接続が取られるプレスフィット部とを有するプレスフィット端子であって、
上記嵌合部および上記プレスフィット部は、いずれも、Ｓｎ−Ｐｄ系合金相とＳｎ相との混合相より構成される合金めっき層を最表面に有していることを特徴とするプレスフィット端子にある。
【００１１】
本発明の他の態様は、上記プレスフィット端子と、該プレスフィット端子を保持するハウジングとを有することを特徴とする基板用コネクタにある。
【発明の効果】
【００１２】
上記プレスフィット端子は、嵌合部およびプレスフィット部が、いずれも、Ｓｎ−Ｐｄ系合金相とＳｎ相との混合相より構成される合金めっき層を最表面に有している。上記合金めっき層において、Ｓｎ−Ｐｄ系合金相は、Ｓｎ相に比べ、比較的硬い。そのため、上記合金めっき層は、従来のＳｎめっき層に比べ、表面の摩擦係数が小さくなる。それ故、上記プレスフィット端子は、相手方端子との嵌合時における嵌合力が低減される。また、上記合金めっき層は、従来のＳｎめっき層に見られるＳｎの凝着や掘り起こしに起因する摩耗が低減される。それ故、上記プレスフィット端子は、回路基板のスルーホール内へプレスフィット部が圧入された場合でも、余剰なＳｎの凝着や掘り起こしが生じ難く、Ｓｎの削れが生じ難い。このように、上記プレスフィット端子は、嵌合部およびプレスフィット部の最表面に異なるめっきを施すことなく、最表面に１種類の上記合金めっき層を有することにより、嵌合部側において低嵌合力化が図られるとともに、プレスフィット部側においてめっき削れが抑制される。
【００１３】
上記基板用コネクタは、上記プレスフィット端子を用いている。そのため、相手方端子を有する相手方基板用コネクタとの嵌合力を低減することができる。また、回路基板への実装時にプレスフィット部からのめっき削れが生じ難いため、回路基板の接続信頼性を向上させることができる。
【図面の簡単な説明】
【００１４】
【図１】実施例１のプレスフィット端子の側面を模式的に示した説明図である。
【図２】実施例１の基板用コネクタのハウジングに圧入する前の状態であって、圧入後の曲げ加工が施されていない実施例１のプレスフィット端子を模式的に示した説明図である。
【図３】実施例１のプレスフィット端子における嵌合部、プレスフィット部および連結部における層構造を模式的に示した説明図である。
【図４】実施例１の基板用コネクタを嵌合側から見て模式的に示した説明図である。
【図５】実施例１の基板用コネクタの断面を模式的に示した説明図である。
【図６】実験例において、試料１Ｃおよび試料２Ｃの基板用コネクタを、相手方基板用コネクタと嵌合させたときの、嵌合距離と嵌合力との関係を示した図である。
【発明を実施するための形態】
【００１５】
上記プレスフィット端子は、基板用コネクタのハウジングに保持された状態で回路基板に接続されるものであってもよいし、回路基板に直接接続されるものであってもよい。前者の場合、ハウジングに複数のプレスフィット端子が保持されることが多い。そのため、前者の場合には、相手方基板用コネクタが有する相手方端子との嵌合時に、端子数の増加に伴う嵌合力の増加が抑制されやすく、上記低嵌合力化の効果を十分に発揮させることができる。
【００１６】
上記プレスフィット端子において、嵌合部およびプレスフィット部は、いずれも、最表面の全てが合金めっき層により覆われていてもよいし、最表面の一部に合金めっき層により覆われていない部分があってもよい。後者の例としては、例えば、板状の端子材料を打ち抜き、プレス加工することにより、プレスフィット端子を形成した際における、打ち抜き破面などを例示することができる。
【００１７】
上記プレスフィット端子は、具体的には、嵌合部とプレスフィット部との間を連結する連結部を有する構成とすることができる。そして、連結部は、最表面に上記合金めっき層を有する構成とすることができる。
【００１８】
この場合には、プレスフィット端子における最表面のほぼ全てが同じ合金めっき層を有する。そのため、プレスフィット端子における最表面に１種類のめっきを施すことにより上述した作用効果を奏するプレスフィット端子を製造することができる。したがって、この場合には、製造性の高いプレスフィット端子が得られる。
【００１９】
上記プレスフィット端子において、端子形状を形づくるベースとなる金属基材としては、例えば、ＣｕまたはＣｕ合金、ＡｌまたはＡｌ合金などを用いることができる。金属基材としては、導電率が高く、加工性に富み、適度な強度を有する観点から、ＣｕまたはＣｕ合金を好適に用いることができる。
【００２０】
上記プレスフィット端子において、合金めっき層は、具体的には、金属基材の表面に直接積層されていてもよいし、金属基材の表面に他の金属層を１または２以上介して積層されていてもよい。他の金属層としては、例えば、Ｎｉ層、Ｎｉ合金層等を例示することができる。他の金属層として、Ｎｉ層またはＮｉ合金層を有する場合には、金属基材がＣｕまたはＣｕ合金からなる場合に、合金めっき層へのＣｕ成分の拡散を抑制しやすくなる。そのため、この場合には、合金めっき層へ拡散したＣｕ成分の酸化物が合金めっき層の外表面に形成され難く、プレスフィット端子の低接触抵抗化に寄与することができる。
【００２１】
上記プレスフィット端子において、合金めっき層の外表面に占めるＳｎ−Ｐｄ系合金相の面積率は、１０〜８０％の範囲内とすることができる。
【００２２】
この場合には、嵌合部側の低嵌合力化、プレスフィット部側のめっき削れの抑制、および、プレスフィット端子における接触抵抗の低減のバランスに優れたプレスフィット端子が得られる。合金めっき層におけるＳｎ−Ｐｄ系合金相は、摩擦係数の低減に高い効果を有する。合金めっき層の外表面における摩擦係数が低減され、嵌合部側の低嵌合力化を図りやすくなる観点から、上記面積率は、好ましくは、１０％以上、より好ましくは、２０％以上、さらに好ましくは、３０％以上とすることができる。また、合金めっき層におけるＳｎ相は、接触抵抗の低減に高い効果を有する。しかし、Ｓｎ相の量が過剰になると、Ｓｎ相の削れ抑制効果が小さくなる。Ｓｎ相の削れ抑制効果を確実なものにする観点から、上記面積率は、好ましくは、８０％以下、より好ましくは、７０％以下、さらに好ましくは、６０％以下とすることができる。
【００２３】
上記プレスフィット端子において、Ｐｄ含有量は、２０原子％未満とすることができる。なお、Ｐｄ含有量は、合金めっき層中に含まれるＳｎとＰｄとの合計に対するＰｄの原子％を意味する。
【００２４】
Ｐｄ含有量は、接触抵抗の安定性を確保しやすくなるなどの観点から、好ましくは、２０原子％未満、より好ましくは、１５原子％以下、さらに好ましくは、１０原子％以下、さらにより好ましくは、７原子％以下とすることができる。なお、Ｐｄ含有量は、摩擦係数の低減に寄与するＰｄＳｎ４等の金属間化合物の安定な生成を促進させるなどの観点から、好ましくは、１原子％以上、より好ましくは、２原子％以上、さらに好ましくは、３原子％以上、さらにより好ましくは、４原子％以上とすることができる。
【００２５】
上記プレスフィット端子において、合金めっき層の厚みは、耐摩耗性、耐熱性などの観点から、０．８μｍ以上、好ましくは、０．８〜２μｍ程度とすることができる。
【００２６】
上記プレスフィット端子は、例えば、最表面に上記合金めっき層を有する板状の端子材料を、端子展開形状に打ち抜いた後、プレス加工によりプレスフィット部を形成し、必要に応じて曲げ加工を施すことなどによって形成することが可能である。なお、上記端子材料は、例えば、ＣｕまたはＣｕ合金などよりなる板状の金属基材表面に、電気めっき法を用いて、厚み０．５〜２μｍ程度のＮｉめっき層を必要に応じて形成した後、厚み２０〜４０ｎｍ程度のＰｄめっき層、厚み０．８〜２μｍ程度のＳｎめっき層を順次形成し、Ｓｎの融点以上の温度で熱処理することなどによって形成することができる。
【００２７】
上記基板用コネクタは、上記プレスフィット端子と、上記プレスフィット端子を保持するハウジングとを有している。上記基板用コネクタにおいて、上記プレスフィット端子は、例えば、合成樹脂製のハウジングの背面壁に圧入されることによってハウジングに保持される構成とすることができる。上記基板用コネクタにおいて、上記プレスフィット端子は、具体的には、嵌合部とプレスフィット部との間を連結する連結部が「Ｌ」字状等の形状に形成されているとよい。
【００２８】
上記基板用コネクタは、具体的には、複数の上記プレスフィット端子がハウジングに保持されている構成とすることができる。この場合には、各プレスフィット端子が低嵌合力化されているので、端子数の増加に伴い増加する嵌合力を効果的に低減することが可能となる。そのため、この場合には、低い嵌合力にて相手方基板用コネクタと嵌合させることができる。
【００２９】
なお、上述した各構成は、上述した各作用効果等を得るなどのために必要に応じて任意に組み合わせることができる。
【実施例】
【００３０】
以下、実施例のプレスフィット端子、基板用コネクタについて、図面を用いて説明する。なお、同一部材については同一の符号を用いて説明する。
【００３１】
（実施例１）
実施例１のプレスフィット端子、基板用コネクタについて、図１〜図５を用いて説明する。図１〜図５に示すように、本例のプレスフィット端子１は、相手方端子（不図示）と嵌合することにより電気的接続が取られる嵌合部１１と、回路基板３のスルーホール３１内に圧入されることによりスルーホール３１内周に形成された導電部３２と電気的接続が取られるプレスフィット部１２とを有している。嵌合部１１およびプレスフィット部１２は、いずれも、Ｓｎ−Ｐｄ系合金相１４１とＳｎ相１４２との混合相より構成される合金めっき層１４を最表面に有している。以下、これを詳説する。
【００３２】
本例において、プレスフィット端子１は、自動車に搭載される基板用コネクタ２に適用されるものである。プレスフィット端子１は、具体的には、嵌合部１１とプレスフィット部１２との間を連結する連結部１３を有している。プレスフィット端子１は、板状の端子材料が端子展開形状に打ち抜かれた後、プレス加工によりプレスフィット部１２が形成され、基板用コネクタ２のハウジング２１が備える端子圧入孔２１１に嵌合部１１側から圧入された後に「Ｌ」字状に折り曲げられることによって形成されたものである。
【００３３】
本例では、具体的には、Ｃｕ合金からなる板状の金属基材１５と、金属基材１５に接するＮｉ層１６と、Ｎｉ層１６に接するＮｉ−Ｓｎ層１７と、Ｎｉ−Ｓｎ層１７に接し、Ｓｎ−Ｐｄ系合金相１４１とＳｎ相１４２との混合相より構成される合金めっき層１４とを有する端子材料を用いている。したがって、本例のプレスフィット端子１は、図３に示されるように、嵌合部１１およびプレスフィット部１２が、いずれも、Ｓｎ−Ｐｄ系合金相１４１とＳｎ相１４２との混合相より構成される合金めっき層１４を最表面に有している。さらに、本例では、連結部１３も、最表面に合金めっき層１４を有している。Ｎｉ層１６の厚みは、１μｍ程度、合金めっき層１４の厚みは、１〜１．５μｍ程度である。
【００３４】
本例において、嵌合部１１は、具体的には、タブ状に形成されており、相手方端子が有する筒状の相手方嵌合部内に挿入される。連結部１３は、具体的には、「Ｌ」字状に形成されており、嵌合部１１側の端部に一対の抜止部１３１と一対の位置決め部１３２とが幅方向に貼り出した状態で形成されている。抜止部１３１は、その先端寄りの縁がテーパ状とされており、プレスフィット端子１を嵌合部１１側から端子圧入孔２１１に圧入可能とされるとともに、反対側の縁が切り立って抜け止めされる。また、位置決め部１３２は、その先端寄りの縁が切り立って、圧入された際に端子圧入孔２１１の縁部に係止され、プレスフィット端子１が位置決めされる。
【００３５】
プレスフィット部１２は、略円弧状に膨出形成され、かつ、その外側面がスルーホール３１の導電部３２と接触する一対の接触片１２１と、接触片１２１との間に設けられ、弾性または塑性変形可能な薄肉部１２２とを有しており、その先端は先細り形状とされている。プレスフィット部１２の最大径寸法は、スルーホール３１における導電部３２の内径よりも所定量大きくされている。プレスフィット部１２は、薄肉部１２２が圧縮変形されつつ径方向に押し縮められることにより、スルーホール３１に圧入されて導電部３２と電気的に接続されるようになっている。なお、プレスフィット部１２の基端側には、プレスフィット部１２をスルーホール３１に圧入する際に圧入治具（不図示）を当接させるための一対の治具当て部１２３が幅方向に張り出した状態で形成されている。
【００３６】
本例の基板用コネクタ２は、プレスフィット端子１と、プレスフィット端子１を保持するハウジング２１とを有している。
【００３７】
本例では、基板用コネクタ２は、ハウジング２１に複数のプレスフィット端子１が組み付けられている。
【００３８】
ハウジング２１は合成樹脂製であり、その前方側には嵌合時に相手方基板用コネクタ（不図示）を収容するフード部２１３が形成され、そのフード部２１３の奥に背面壁２１２が一体に形成されている。プレスフィット端子１は、ハウジング２１の背面壁２１２に形成された端子圧入孔２１１に嵌合部１１側から圧入されることによりハウジング２１に保持されている。
【００３９】
次に、本例のプレスフィット端子、基板用コネクタの作用効果について説明する。
【００４０】
本例のプレスフィット端子１は、嵌合部１１およびプレスフィット部１２が、いずれも、Ｓｎ−Ｐｄ系合金相１４１とＳｎ相１４２との混合相より構成される合金めっき層１４を最表面に有している。合金めっき層１４において、Ｓｎ−Ｐｄ系合金相１４１は、Ｓｎ相１４２に比べ、比較的硬い。そのため、合金めっき層１４は、従来のＳｎめっき層に比べ、表面の摩擦係数が小さくなる。それ故、プレスフィット端子１は、相手方端子との嵌合時における嵌合力が低減される。また、合金めっき層１４は、従来のＳｎめっき層に見られるＳｎの凝着や掘り起こしに起因する摩耗が低減される。それ故、プレスフィット端子１は、回路基板３のスルーホール３１内へプレスフィット部１が圧入された場合でも、余剰なＳｎの凝着や掘り起こしが生じ難く、Ｓｎの削れが生じ難い。このように、プレスフィット端子１は、嵌合部１１およびプレスフィット部１２の最表面に異なるめっきを施すことなく、最表面に１種類の合金めっき層１４を有することにより、嵌合部１１側において低嵌合力化が図られるとともに、プレスフィット部１２側においてめっき削れが抑制される。
【００４１】
本例の基板用コネクタ２は、本例のプレスフィット端子１を用いている。そのため、相手方端子を有する相手方基板用コネクタとの嵌合力を低減することができる。また、回路基板３への実装時にプレスフィット部１２からのめっき削れが生じ難いため、回路基板３の接続信頼性を向上させることができる。
【００４２】
＜実験例＞
以下、実験例を用いてより具体的に説明する。
【００４３】
Ｃｕ合金からなる板状の金属基材（厚み０．６４μｍ）の表面に、電気めっき法を用いて、厚み１μｍのＮｉめっき層、厚み２０ｎｍのＰｄめっき層、厚み１μｍのＳｎめっき層を順次形成し、大気中、Ｓｎの融点以上温度で熱処理することにより端子材料を得た。
【００４４】
次いで、得られた端子材料を、プレス加工により図１、図２に示される端子形状とすることが可能な端子展開形状に打ち抜いた後、プレス加工によりプレスフィット部を形成した。
【００４５】
次いで、プレスフィット部を形成した打ち抜き片を、ＰＢＴ樹脂製のハウジングの端子圧入孔に圧入した後、「Ｌ」字状に折り曲げて屈曲部を形成することにより、試料１のプレスフィット端子、および、試料１Ｃの基板用コネクタを得た。なお、本例のプレスフィット端子は、０．６４型である。また、基板用コネクタは、図４、図５に示されるように、複数のプレスフィット端子が配置された多極型のコネクタである。
【００４６】
得られたプレスフィット端子の断面について、走査型電子顕微鏡（ＳＥＭ）による観察を行った。その結果、嵌合部、プレスフィット部、および、連結部は、いずれも、Ｃｕ合金からなる板状の金属基材と、金属基材に接するＮｉ層（厚み１μｍ）と、Ｎｉ層に接するＮｉ−Ｓｎ層と、Ｎｉ−Ｓｎ層に接し、Ｓｎ−Ｐｄ系合金相とＳｎ相との混合相より構成される合金めっき層（厚み１μｍ）とを有していることが確認された。
【００４７】
また、本実験例において、合金めっき層の外表面に占めるＳｎ−Ｐｄ系合金相の面積率は、４５％であった。なお、上記面積率は、走査型電子顕微鏡（ＳＥＭ）など、金属元素に関しコントラストで区別できる表面観察等を実施することにより求めた。また、熱処理する前のＳｎめっき層、Ｐｄめっき層の厚み、元素の密度、原子量等を用いて算出される合金めっき層中のＰｄ含有率は、４原子％であった。
【００４８】
なお、金属基材の表面に厚み１μｍのＳｎめっき層が形成された端子材料を用いた以外は同様にして、比較としての試料２のプレスフィット端子、試料２Ｃの基板用コネクタを得た。
【００４９】
図６に、試料１Ｃおよび試料２Ｃの基板用コネクタを、相手方基板用コネクタと嵌合させたときの、嵌合距離と嵌合力との関係を示す。図６に示されるように、試料１Ｃの基板用コネクタは、試料２Ｃの基板用コネクタに比べ、嵌合力が低減していることがわかる。これは、嵌合部の最表面に上記合金めっき層を有することにより、嵌合部表面の摩擦係数が低減したためである。
【００５０】
次に、試料１Ｃおよび試料２Ｃの基板用コネクタを、プリント回路基板に実装した。具体的には、圧入治具を用いて、各基板用コネクタにおけるプレスフィット端子のプレスフィット部をプリント回路基板のスルーホール内に圧入した。その結果、試料２Ｃの基板用コネクタでは、スルーホールとプレスフィット部との間で、Ｓｎの凝着や掘り起こしが生じ、これによりＳｎの削れが生じた。これに対し、試料１Ｃの基板用コネクタでは、スルーホールとプレスフィット部との間で、Ｓｎの凝着や掘り起こしが生じず、Ｓｎの削れが生じなかった。
【００５１】
以上によれば、嵌合部およびプレスフィット部の最表面に異なるめっきを施すことなく、嵌合部側における低嵌合力化、プレスフィット部側におけるめっき削れの抑制を図ることが可能なプレスフィット端子、また、これを用いた基板用コネクタが得られることが確認できた。
【００５２】
以上、本発明の実施例について詳細に説明したが、本発明は上記実施例に限定されるものではなく、本発明の趣旨を損なわない範囲内で種々の変更が可能である。
【００５３】
例えば、プレスフィット端子は、基板用コネクタのハウジングに保持されることなく、直接、回路基板に実装されるものであってもよい。
【符号の説明】
【００５４】
１  プレスフィット端子
１１  嵌合部
１２  プレスフィット部
１４  合金めっき層
１４１  Ｓｎ−Ｐｄ系合金相
１４２  Ｓｎ相
２  基板用コネクタ
２１  ハウジング
３  回路基板
３１  スルーホール
３２  導電部
【図１】
2016018726.tif 000003
【図２】
2016018726.tif 000004
【図３】
2016018726.tif 000005
【図４】
2016018726.tif 000006
【図５】
2016018726.tif 000007
【図６】
2016018726.tif 000008